(57)【要約】【課題】  様々な屋根形状に合わせて隅々まで容易に配置することができる太陽電池モジュールを提供する。【解決手段】  太陽電池セル15を平面方形枠体11、12、13、14内に固定しかつ外部との電気的接続手段16、17を設けた太陽電池モジュール10において、平面方形枠体の１つの辺に沿って該辺の裏面側に延在して設けた筐体内に太陽電池セルと接続されたコードを収容しかつ筐体の該辺方向両端に該コードのいずれかとそれぞれ接続された電気的接続手段を具備する端子ボックス18を有し、電気的接続手段の一方が雄コネクタ16であり他方が該雄コネクタと嵌合可能な雌コネクタ17である。【選択図】      図１
2007019140.tif 000002
【特許請求の範囲】
【請求項１】
太陽電池セルを平面方形枠体内に固定しかつ外部との電気的接続手段を設けた太陽電池モジュールにおいて、
前記平面方形枠体の１つの辺に沿って該辺の裏面側に延在して設けた筐体内に前記太陽電池セルと接続されたコードを収容しかつ前記筐体の該辺方向両端に該コードのいずれかとそれぞれ接続された前記電気的接続手段を具備する端子ボックスを有し、
前記電気的接続手段の一方が雄コネクタであり他方が該雄コネクタと嵌合可能な雌コネクタであることを特徴とする太陽電池モジュール。
【請求項２】
前記雄コネクタが、前記筐体の端面から突出する第１筒体と、該第１筒体内部を軸方向に所定範囲で移動可能に支持されると共に前記コードのいずれかに接続された第１スライド端子と、該第１スライド端子を軸方向外側へ付勢するべく取り付けられた第１スプリングと、該第１筒体の外面上を囲周するシールリングとを具備し、
前記雌コネクタが、前記筐体の端面から突出する第２筒体と、該第２筒体内部を軸方向に所定範囲で移動可能に支持されると共に前記コードのいずれかに接続された第２スライド端子と、該第２スライド端子を軸方向外側へ付勢するべく取り付けられた第２スプリングとを具備し、
隣接する２つの前記太陽電池モジュールの各々における互いに対向する前記雄コネクタと前記雌コネクタとは、前記第１筒体を前記第２筒体に挿入することにより嵌合可能であり、嵌合状態にて前記第１スライド端子と前記第２スライド端子の端面同士が接触しかつ前記第１スプリングと前記第２スプリングにより互いに押圧されることを特徴とする請求項１に記載の太陽電池モジュール。
【請求項３】
前記太陽電池モジュールの縦及び横の長さが２５０〜３５０mmであることを特徴とする請求項１または２に記載の太陽電池モジュール。
【請求項４】
請求項１〜３のいずれかに記載の太陽電池モジュールを横方向に複数個接続した太陽電池モジュールの１段を、縦方向に複数段配列し各段同士を接続する方法において、
横方向に隣り合う太陽電池モジュール同士の雄コネクタと雌コネクタとを挿入連結することにより複数の太陽電池モジュールを横方向に接続する工程と、
各段における個々の前記太陽電池モジュールの両端の電気的接続手段の極性配置が全て同じである場合に、縦方向の接続において１つの段の一方の端の太陽電池モジュールの電気的接続手段を次の段の異なる方の端の太陽電池モジュールの電気的接続手段と接続する工程とを有することを特徴とする太陽電池モジュールの接続方法。
【請求項５】
請求項１〜３のいずれかに記載の太陽電池モジュールを横方向に複数個接続した太陽電池モジュールの１段を、縦方向に複数段配列し各段同士を接続する方法において、
横方向に隣り合う太陽電池モジュール同士の雄コネクタと雌コネクタとを挿入連結することにより複数の太陽電池モジュールを横方向に接続する工程と、
各段における個々の前記太陽電池モジュールの両端の電気的接続手段の極性配置が段毎に交互になっている場合に、縦方向の接続において１つの段の一方の端の太陽電池モジュールの電気的接続手段を、次の段の同じ方の端の太陽電池モジュールの電気的接続手段と接続する工程とを有することを特徴とする太陽電池モジュールの接続方法。
【請求項６】
請求項１〜３のいずれかに記載の太陽電池モジュールを屋根上に設置した太陽電池モジュールの設置構造において、
屋根上に所定の間隔で互いに平行に取り付けられた複数の下地材と、
前記下地材の上に該下地材に対して直交する方向に取り付けられた複数のレールと、
隣り合う前記レールの各々の上に前記平面方形枠体の上下の辺がそれぞれ載置されかつ左右に隣接するもの同士の前記雄コネクタと前記雌コネクタとを接続した前記太陽電池モジュールと、
前記レール上に載置された前記太陽電池モジュールの前記枠体と係合しかつ前記レールを覆うべく取り付けられたレールカバーとを有することを特徴とする太陽電池モジュールの設置構造。
【請求項７】
請求項１〜３のいずれかに記載の太陽電池モジュールを屋根上に設置する太陽電池モジュールの設置方法において、
複数の下地材を屋根上に所定の間隔で互いに平行に取り付ける工程と、
複数のレールを前記下地材の上に該下地材に対して直交する方向に取り付ける工程と、
前記太陽電池モジュールを前記レール上に載置すると共に左右に隣接する該太陽電池モジュール同士の前記雄コネクタと前記雌コネクタとを接続する工程と、
前記レール上に載置された前記太陽電池モジュールの前記枠体と係合しかつ前記レールを覆うようにレールカバーを取り付ける工程とを有することを特徴とする太陽電池モジュールの設置方法。
【発明の詳細な説明】
【技術分野】
【０００１】
本発明は、太陽電池モジュール及びその接続方法並びにその設置構造及び設置方法に関する。
【背景技術】
【０００２】
太陽電池の直流出力を交流に変換して商用電力系統に連系するインバータの入力電圧は一般にＤＣ２００Ｖ程度である。従来、屋根の平面上において縦横方向に前後左右方向に配列設置させた複数の太陽電池モジュールの各々の裏面に取付けた端子ボックスから正極と負極の２本のコードと引き出し、隣接モジュールの端子ボックスから引き出したコードに接続して送電している（特許文献１等）。このように太陽電池モジュールから引き出したコード同士を接続することにより相互間を直列接続 して２００Ｖ程度の出力電圧を得ている。
【０００３】
また太陽電池モジュールは、屋根に予め設置した取付け金具又はレールにモジュールを設置し取付けている。
【特許文献１】特開２００２−９３２６号公報
【発明の開示】
【発明が解決しようとする課題】
【０００４】
上記の従来の技術には、一応下記のような問題点を指摘することができる。
標準的な太陽電池モジュールの外形サイズでは幅及び長さが５００〜１０００mmあるいはそれ以上のものが多く、様々な屋根形状に合わせて隅々まで配置することができない。
【０００５】
太陽電池モジュール同士の電気的接続のためにコードを用いるため、取付け時のコード結線に手数を要し、かつ多数のコードが露出して始末が悪い。
【０００６】
本発明の目的は、様々な屋根形状に合わせて隅々まで配置することができる太陽電池モジュールを提供すると共に、太陽電池モジュール同士の電気的接続を容易にかつ迅速に行うことができかつ外観上もコンパクトな太陽電池モジュールの構造及びその接続方法を提供することである。さらに、このような太陽電池モジュールを屋根上に簡易な作業で設置した構造及びその方法を提供することを目的とする。
【課題を解決するための手段】
【０００７】
上記の目的を達成するべく本発明は以下の構成を提供する。
（１）請求項１に係る太陽電池モジュールは、太陽電池セルを平面方形枠体内に固定しかつ外部との電気的接続手段を設けた太陽電池モジュールにおいて、前記平面方形枠体の１つの辺に沿って該辺の裏面側に延在して設けた筐体内に前記太陽電池セルと接続されたコードを収容しかつ前記筐体の該辺方向両端に該コードのいずれかとそれぞれ接続された前記電気的接続手段を具備する端子ボックスを有し、
前記電気的接続手段の一方が雄コネクタであり他方が該雄コネクタと嵌合可能な雌コネクタであることを特徴とする。
【０００８】
（２）請求項２に係る太陽電池モジュールは、請求項１において、
前記雄コネクタが、前記筐体の端面から突出する第１筒体と、該第１筒体内部を軸方向に所定範囲で移動可能に支持されると共に前記コードのいずれかに接続された第１スライド端子と、該第１スライド端子を軸方向外側へ付勢するべく取り付けられた第１スプリングと、該第１筒体の外面上を囲周するシールリングとを具備し、
前記雌コネクタが、前記筐体の端面から突出する第２筒体と、該第２筒体内部を軸方向に所定範囲で移動可能に支持されると共に前記コードのいずれかに接続された第２スライド端子と、該第２スライド端子を軸方向外側へ付勢するべく取り付けられた第２スプリングとを具備し、
隣接する２つの前記太陽電池モジュールの各々における互いに対向する前記雄コネクタと前記雌コネクタとは、前記第１筒体を前記第２筒体に挿入することにより嵌合可能であり、嵌合状態にて前記第１スライド端子と前記第２スライド端子の端面同士が接触しかつ前記第１スプリングと前記第２スプリングにより互いに押圧されることを特徴とする。
【０００９】
（３）請求項３に係る太陽電池モジュールは、請求項１または２において、前記太陽電池モジュールの縦及び横の長さが２５０〜３５０mmであることを特徴とする。
【００１０】
（４）請求項４に係る太陽電池モジュールの接続方法は、請求項１〜３のいずれかに記載の太陽電池モジュールを横方向に複数個接続した太陽電池モジュールの１段を、縦方向に複数段配列し各段同士を接続する方法において、
横方向に隣り合う太陽電池モジュール同士の雄コネクタと雌コネクタとを挿入連結することにより複数の太陽電池モジュールを横方向に接続する工程と、
各段における個々の前記太陽電池モジュールの両端の電気的接続手段の極性配置が全て同じである場合に、縦方向の接続において１つの段の一方の端の太陽電池モジュールの電気的接続手段を次の段の異なる方の端の太陽電池モジュールの電気的接続手段と接続する工程とを有することを特徴とする。
【００１１】
（５）請求項５に係る太陽電池モジュールの接続方法は、請求項１〜３のいずれかに記載の太陽電池モジュールを横方向に複数個接続した太陽電池モジュールの１段を、縦方向に複数段配列し各段同士を接続する方法において、
横方向に隣り合う太陽電池モジュール同士の雄コネクタと雌コネクタとを挿入連結することにより複数の太陽電池モジュールを横方向に接続する工程と、
各段における個々の前記太陽電池モジュールの両端の電気的接続手段の極性配置が段毎に交互になっている場合に、縦方向の接続において１つの段の一方の端の太陽電池モジュールの電気的接続手段を、次の段の同じ方の端の太陽電池モジュールの電気的接続手段と接続する工程とを有することを特徴とする。
【００１２】
（６）請求項６に係る太陽電池モジュールの設置構造は、請求項１〜３のいずれかに記載の太陽電池モジュールを屋根上に設置した太陽電池モジュールの設置構造において、
屋根上に所定の間隔で互いに平行に取り付けられた複数の下地材と、
前記下地材の上に該下地材に対して直交する方向に取り付けられた複数のレールと、
隣り合う前記レールの各々の上に前記平面方形枠体の上下の辺がそれぞれ載置されかつ左右に隣接するもの同士の前記雄コネクタと前記雌コネクタとを接続した前記太陽電池モジュールと、
前記レール上に載置された前記太陽電池モジュールの前記枠体と係合しかつ前記レールを覆うべく取り付けられたレールカバーとを有することを特徴とする。
【００１３】
（７）請求項７に係る太陽電池モジュールの設置方法は、請求項１〜３のいずれかに記載の太陽電池モジュールを屋根上に設置する太陽電池モジュールの設置方法において、
複数の下地材を屋根上に所定の間隔で互いに平行に取り付ける工程と、
複数のレールを前記下地材の上に該下地材に対して直交する方向に取り付ける工程と、
前記太陽電池モジュールを前記レール上に載置すると共に左右に隣接する該太陽電池モジュール同士の前記雄コネクタと前記雌コネクタとを接続する工程と、
前記レール上に載置された前記太陽電池モジュールの前記枠体と係合しかつ前記レールを覆うようにレールカバーを取り付ける工程とを有することを特徴とする。
【発明の効果】
【００１４】
本発明は、上述のように構成されているので、下記のような効果を奏する。
・本発明では、隣接する太陽電池モジュール同士の電気的接続が、雄コネクタと雌コネクタとの嵌め込み結線により行われるので、コード不要で施工が容易である。
【００１５】
・本発明の太陽電池モジュールは、ほぼ３００mm四方という従来にない屋根材専用のモジュールであり、取り扱いやすく、作業性が良い。また、この程度の寸法であれば屋根の隅々まで設置でき、置き面積増大とデザイン性に優れている。
【００１６】
・.本発明の太陽電池モジュールの設置構造及び設置方法においては、取付けは予め設置したレールの上に太陽電池モジュールをスライドさせるだけなので、位置決めが容易でかつ作業性がよい。
【発明を実施するための最良の形態】
【００１７】
以下、図面を参照して実施の形態の詳細を説明する。
図１は、屋根上に本発明による太陽電池モジュールを設置する施工中の状況を概略的に示す斜視図である。屋根３０の傾斜方向に沿って複数の棒状（図示の例では角材）の下地材３１を所定の間隔（例えば４５５mmまたはそれ未満）で互いに平行に取り付けられている。
【００１８】
これらの下地材３１の上に、下地材の方向と直交する方向に所定の間隔ｄ（例えば３０６mmピッチ）で複数のレール２０を取り付ける。隣り合うレール２０の間隔は、太陽電池モジュール１０の縦方向の長さに応じて設定される。太陽電池モジュール１０は、隣り合うレール２０上にその縦方向の対向する両辺の枠が載置されるように設置される。太陽電池モジュール１０をレール２０上に載置する作業の際には、太陽電池モジュール１０の載置される両辺がレール２０上を滑動することができるので非常に作業性がよい。
【００１９】
図２は、本発明による太陽電池モジュール１０の表面を示す斜視図である。太陽電池モジュール１０は、例えば、太陽電池セル１５の表裏両面を充填シート（図示せず）で覆いさらに表面の表面ガラス（図示せず）と裏面のバックカバーフィルムで挟持してこれらをアルミニウム製の外枠で固定した構造を有する。図２に示す太陽電池モジュール１０の外枠は、下枠材１１、上枠材１２、左枠材１３及び右枠材１４のから構成される略平面方形であり、本発明における好適形状である。図２では明らかではないが、太陽電池モジュール１０の裏面側には上枠材１２に沿って左右方向に延在する筐体をもつ端子ボックスが設けられており、その両端にそれぞれ外部との電気的接続手段であるコネクタが設けられている。一方のコネクタは左枠材１３よりも外側に突出した雄コネクタ１６であり、他方のコネクタは右枠材１４よりも外側に突出した雌コネクタ１７である。これらのコネクタの詳細については後述する。
【００２０】
図３は、本発明による太陽電池モジュール１０の裏面を示す斜視図である。端子ボックス１８は、上枠材１２に沿って上枠材１２の裏面側に延在する筐体を具備する。端子ボックス１８は中央部分の幅が他の部分の幅の２倍程度に広くなっている。端子ボックス１８は上枠材１２と一体化部品として形成すれば、上枠材１２と同時に取り付けられるため作業が簡単となるので好適である。
【００２１】
図４は、本発明による太陽電池モジュール１０の裏面を示す平面図である。端子ボックス１８の中央の幅広くなった部分の内部には太陽電池セル１５の端子１８ａ、１８ｂが設けられている。端子ボックス１８の筐体内にはこの太陽電池セル１５の端子１８ａ、１８ｂと接続されたコード（図示せず）が収容されておりそれぞれのコードは、端子ボックス１８の両端にそれぞれ設けられた左右の雄コネクタ１６及び雌コネクタ１７と接続されている。
【００２２】
雄コネクタ１６と雄コネクタ１７とは嵌合可能な構造に形成されている。よって、横方向に隣接する２つの太陽電池モジュール１０の対向する雄コネクタ１６は雌コネクタ１７に挿入連結することができる。
【００２３】
本発明の太陽電池モジュール１０の縦及び横の長さは好適には２５０〜３５０mmとし、さらに好適には縦及び横の長さをいずれも約３００mmとして平面正方形とする。この寸法は、取り扱いやすく、作業性が良い。また、この程度の寸法であれば屋根の隅々まで設置でき、置き面積増大とデザイン性に優れている。
【００２４】
図５は、本発明の太陽電池モジュール１０における雄コネクタ１６と雌コネクタ１７の好適例を示す断面図である。図５(Ａ)は接続前の状態であり、図５(Ｂ)は接続した状態である。
【００２５】
図５(Ａ)を参照すると、雄コネクタ１６が、端子ボックス１８の筐体の端面から突出する円筒状の第１筒体１６ｅを具備し、この第１筒体１６ｅの内部には軸方向に所定範囲で移動可能な第１スライド端子１６ａが設けられている。第１スライド端子１６ａは円柱状の支持部１６ｂにより軸支されており軸方向に沿って滑動することができる。但し、図示しないストップ機構により外側への最大移動距離は限定される。第１スライド端子１６ａの先端は平坦面となっており、雌コネクタ１７との電気的接続のための接触面１６ｃを形成している。支持部１６ｂの基端部にはコード１８ｃが接続される。これにより第１スライド端子１６ａは太陽電池セルの端子（図４の符号１８ａ）と電気的に接続される。そして、第１スライド端子１６ａの外周上には、第１スライド端子を軸方向外側へ付勢する第１スプリング１６ｄが巻回されている。さらに、第１筒体１６ｅの外面上を囲周する弾性体のシールリング１６ｆが設けられている。
【００２６】
一方、雌コネクタ１７が、端子ボックス１８の筐体の端面から突出する円筒状の第２筒体１７ｅを具備し、この第２筒体１７ｅの内部には軸方向に所定範囲で移動可能な第２スライド端子１７ａが設けられている。第２スライド端子１７ａは円柱状の支持部１７ｂにより軸支されており軸方向に沿って滑動することができる。但し、図示しないストップ機構により外側への最大移動距離は限定される。第２スライド端子１７ａの先端は平坦面となっており、雄コネクタ１６との電気的接続のための接触面１７ｃを形成している。支持部１７ｂの基端部にはコード１８ｄが接続される。これにより第２スライド端子１７ａは太陽電池セルの端子（図４の符号１８ｂ）と電気的に接続される。そして、第２スライド端子１７ａの外周上には、第２スライド端子を軸方向外側へ付勢する第２スプリング１７ｄが巻回されている。
【００２７】
図５(Ｂ)を参照すると、雄コネクタ１６と雌コネクタ１７の接続状態においては、雌コネクタ１７の第２筒体１７ｅの内側中空部分に雄コネクタ１６の第１筒体１６ｅが挿入されることにより双方のコネクタが嵌合する。このとき雄コネクタ１６の外周上に設けたシールリング１６ｆが押圧されることにより雌コネクタ１７との強固な接続が確保される。またこのとき、第１スライド端子１６ａと第２スライド端子１７ａとは対向する接触面１６ｃと１７ｃとを当接させている。加えて、第１スライド端子１６ａ及び第２スライド端子１７ａはいずれも端子ボックス１８の方へ後退した位置にあり、第１スプリング１６ｄと第２スプリング１７は図５(Ａ)の状態よりもさらに圧縮状態となって双方のスライド端子の接触面同士を互いに押圧させて確実に接触させている。また、取り外しも横方向に強く引くだけでよいので容易である。
【００２８】
図６は、図１のＡ断面の一部を示す図である。屋根３０上の縦方向において隣接する２つの太陽電池モジュール同士の接続部分が示されている。縦方向の接続は、レール２０とレールカバー２１を介して実現される。屋根３０の上に取り付けた下地３１の上にレール２０がビス等の適宜のレール固定具２０ａで取り付けられている。レール２０上には一方の太陽電池モジュール１０の上枠材１２と下枠材１１が載置されている。上枠材１２は、太陽電池セル１５の上側面に沿って延在する平坦部分とこれと連結して太陽電池セル１５の裏面側に設けられた端子ボックス１８とから形成されている。下枠材１１は、太陽電池セル１５の下側面に沿って延在してこの部分を挟持するコ字状断面を具備する。
【００２９】
さらに、上枠材１２及び下枠材１１と係合しかつレール２０を覆うレールカバー２１がビス等の適宜のレールカバー固定具２１ａで取り付けられている。上枠材１２は、水密性を確保するための緩衝材２１を介してレールカバー２１により押さえられる。レールカバー２１の下側縁部に設けた掛止突起２１ｂが緩衝材２１の縁部と係合することにより一方の太陽電池モジュールを定位置に固定している。また、レールカバー２１の上側縁部に設けた掛止突起２１ｃが下枠材１１の掛止突起１１ａと係合することにより他方の太陽電池モジュールを定位置に固定している。
【００３０】
図７は、図１のＢ断面の一部を示す図である。屋根３０上の横方向において隣接する２つの太陽電池モジュール同士の接続部分が示されている。横方向の接続は、太陽電池モジュールの左枠材１３と右枠材１４を用いて実現される。左枠材１３及び右枠材１４は、基本的には太陽電池セル１５の左側面及び右側面をそれぞれ挟持するコ字状断面を具備する。そして、右枠材１４の上面はさらに外側に延在する部分を具備し、その先端に設けられた掛止突起１４ａが左枠材１３の掛止突起１３ａと係合している。また、左枠材１３の下面もまたさらに外側に延在する部分を具備し、その先端に設けられた掛止突起１３ｂが右枠材１４の右側面１４ｂの外側に当接する。これにより、横方向に隣接する太陽電池モジュール同士が定位置に配置される。
【００３１】
図８は、図１〜図７に示した太陽電池モジュール１０の接続方法の一例を示す図である。この例では、雄コネクタ１６が負極で雌コネクタ１７が正極である（雄コネクタ１６が正極で雌コネクタ１７が負極のものでもよい）一種類の太陽電池モジュール１０のみを用いる。接続においては、最も左方に位置する第１のモジュールの雌コネクタ１７に対してその右方に位置する第２のモジュールの雄コネクタ１６を挿入連結し、さらに第２のモジュールの雌コネクタ１７に対してその右方に位置する第３のモジュールの雄コネクタ１６を挿入連結するという手順で、順次所望する個数の太陽電池モジュール１０を横方向に連結する。このようにして１段目の複数個の太陽電池モジュールを接続する。この例では、各段における個々の太陽電池モジュールの両端のコネクタの極性配置が全て同じである。例えば、いずれの段も負正、負正．．．（または、いずれの段も正負、正負．．．）とモジュールが並んでいる。
【００３２】
そして、縦方向において隣り合う段同士の接続においては、１つの段の一方の端の太陽電池モジュールの雌コネクタ１７（または雄コネクタ）を、次の段の異なる方の端の太陽電池モジュールの雄コネクタ１６（または雌コネクタ）と接続する。この場合の外部配線１９ａの設置は、太陽電池モジュール１０をレール上に配列設置する前に予め行っておく。
【００３３】
図９は、図１〜図７に示した太陽電池モジュール１０の接続方法の別の一例を示す図である。この例では、雄コネクタ１６が負極で雌コネクタ１７が正極である太陽電池モジュール１０と、雄コネクタ１６が正極で雌コネクタ１７が負極である種類の太陽電池モジュール１０’の２種類を用いる。いずれの種類も各段における接続方法は同じであり、最も左方に位置する第１のモジュールの雌コネクタ１７に対してその右方に位置する第２のモジュールの雄コネクタ１６を挿入連結し、さらに第２のモジュールの雌コネクタ１７に対してその右方に位置する第３のモジュールの雄コネクタ１６を挿入連結するという手順で、順次所望する個数の太陽電池モジュール１０を横方向に連結する。このようにして１段目の複数個の太陽電池モジュールを接続する。この例では、各段における個々の太陽電池モジュールの両端のコネクタの極性配置が段毎に交互になっている。例えば、１段目で正負、正負．．．とモジュールが並んでいると、２段目では負正、負正．．．とモジュールが並ぶことになる。
【００３４】
そして、縦方向において隣り合う段同士の接続においては、１つの段の一方の端の太陽電池モジュールの雌コネクタ１７（または雄コネクタ）を、次の段の同じ方の端の太陽電池モジュールの雄コネクタ１６（または雌コネクタ）と接続する。これには外部配線１９ｂ、１９ｃを用いる。
【００３５】
本発明における太陽電池モジュールを屋根材として住宅などの屋根へ設置する方法は、次の通りとなる。尚、図１及び図２を参照する。
・第１工程：屋根３０の上面に、当該屋根の棟側から軒先へ向かう方向へ所望する本数の下地材３１を適宜間隔で互いに平行状態で固定する。
【００３６】
・第２工程：下地材３１の上面に、当該下地材と直交する方向に所定間隔ｄをもってレール２０取付ける。また、この所定間隔ｄは、太陽電池モジュール１０の上下方向の長さに合わせてこれを載置できる寸法とされる。
【００３７】
・第３工程：レール２０における最下に位置する第１段のレールと第２段のレール間に複数の太陽電池モジュール１０を、左方から右方に順に雄コネクタ１６と雌コネクタ１７を嵌め込みながら連結する。次に、第２段のレールと第３段のレール間に複数の太陽電池モジュール１０を、左方から右方に順に雄コネクタ１６と雌コネクタ１７を嵌め込みながら連結する。このようにして屋根全体に太陽電池モジュール１０を敷設する。
【００３８】
・第４工程：各レール２０の上面に、レールカバー２１を装着固定する。
第５工程：図８の外部配線１９ａまたは図９の外部配線１９ｂ、１９ｃのごとく最終的に全体の電気的結線を行う。
【図面の簡単な説明】
【００３９】
【図１】屋根上に本発明による太陽電池モジュールを設置する施工中の状況を概略的に示す斜視図である。
【図２】本発明による太陽電池モジュールの表面を示す斜視図である。
【図３】本発明による太陽電池モジュールの裏面を示す斜視図である。
【図４】本発明による太陽電池モジュールの裏面を示す平面図である。
【図５】本発明の太陽電池モジュールにおける雄コネクタと雌コネクタの好適例を示す断面図である。(Ａ)は接続前の状態であり、(Ｂ)は接続した状態である。
【図６】図１のＡ断面の一部を示す図である。
【図７】図１のＢ断面の一部を示す図である。
【図８】図１〜図７に示した太陽電池モジュール１０の接続方法の一例を示す図である。
【図９】図１〜図７に示した太陽電池モジュール１０の接続方法の別の一例を示す図である。
【符号の説明】
【００４０】
１０  太陽電池モジュール
１１  下枠材
１１ａ  掛止突起
１２  上枠材
１３  左枠材
１３ａ  嵌合突起
１３ｂ  当接側壁
１４  右枠材
１４ａ  嵌合突起
１４ｂ  当接辺部
１５  太陽電池セル
１６  雄コネクタ
１６ａ  第１スライド端子
１６ｂ  第１スライド端子支持部
１６ｃ  第１接触面
１６ｄ  第１スプリング
１６ｅ  第１筒体
１６ｆ  シールリング
１７  雌コネクタ
１７ａ  第２スライド端子
１７ｂ  第２スライド端子支持部
１７ｃ  第２接触面
１７ｄ  第２スプリング
１７ｅ  第２筒体  
１８  端子ボックス
１８ａ、１８ｂ  セル端子
１８ｄ、１８ｃ  コード
１９ａ、１９ｂ、１９ｃ  外部配線
２０  レール
２０ａ  レール固定具
２１  レールカバー
２１ａ  レールカバー固定具
２１ｂ、２１ｃ  掛止突起
２２  緩衝材
３０  屋根 
３１  下地材
【図１】
2007019140.tif 000003
【図２】
2007019140.tif 000004
【図３】
2007019140.tif 000005
【図４】
2007019140.tif 000006
【図５】
2007019140.tif 000007
【図６】
2007019140.tif 000008
【図７】
2007019140.tif 000009
【図８】
2007019140.tif 000010
【図９】
2007019140.tif 000011